【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
色を指定する指定手段と、
前記指定手段によって指定された色に基づいて、除去すべき色の色相の範囲を設定する設定手段と、
画像データの一部のエリアの色を前記設定手段によって設定された色相の範囲に基づいて除去する前の画像データの第１の特徴量と、前記画像データの前記一部のエリアの色を前記設定手段によって設定された色相の範囲に基づいて除去した後の画像データの第２の特徴量を取得する取得手段と、
前記取得手段によって取得された前記第１の特徴量と前記第２の特徴量に基づいて、前記一部のエリアの除去すべき色相の範囲を拡張する拡張手段と、
前記拡張手段によって拡張された色相の範囲に基づいて、前記一部のエリアの色を除去する除去手段とを有することを特徴とする画像処理装置。
【請求項２】
前記拡張手段は、前記一部のエリアの色を前記設定手段によって設定された色相の範囲に基づいて除去する前の画像データの第１の標準偏差と、前記一部のエリアの色を前記設定手段によって設定された色相の範囲に基づいて除去した後の画像データの第２の標準偏差とに基づいて、前記一部のエリアの除去すべき色相の範囲を拡張することを特徴とする請求項１に記載の画像処理装置。
【請求項３】
前記拡張手段は、前記一部のエリアの色を前記設定手段によって設定された色相の範囲に基づいて除去する前の画像データの前記第１の標準偏差と、前記一部のエリアの色を前記設定手段によって設定された色相の範囲に基づいて除去した後の画像データの前記第２の標準偏差との差が予め定められた閾値以上ある場合に、前記一部のエリアの除去すべき色相の範囲を拡張し、
前記拡張手段は、前記一部のエリアの色を前記設定手段によって設定された色相の範囲に基づいて除去する前の画像データの前記第１の標準偏差と、前記一部のエリアの色を前記設定手段によって設定された色相の範囲に基づいて除去した後の画像データの前記第２の標準偏差との差が予め定められた閾値未満である場合に、前記一部のエリアの除去すべき色相の範囲を拡張せずに維持することを特徴とする請求項２に記載の画像処理装置。
【請求項４】
原稿の種類を選択する選択手段をさらに有し、
前記選択手段によって選択された原稿の種類が写真に関する種類である場合に、前記一部のエリアの色を前記設定手段によって設定された色相の範囲に基づいて除去する前の画像データの前記第１の標準偏差と、前記一部のエリアの色を前記設定手段によって設定された色相の範囲に基づいて除去した後の画像データの前記第２の標準偏差との差が予め定められた閾値以上であっても、前記一部のエリアの除去すべき色相の範囲を拡張せずに維持することを特徴とする請求項３に記載の画像処理装置。
【請求項５】
前記拡張手段は、前記一部のエリアの色を前記設定手段によって設定された色相の範囲に基づいて除去する前の画像データの第１の分散と、前記一部のエリアの色を前記設定手段によって設定された色相の範囲に基づいて除去した後の画像データの第２の分散とに基づいて、前記一部のエリアの除去すべき色相の範囲を拡張することを特徴とする請求項１に記載の画像処理装置。
【請求項６】
前記拡張手段は、前記一部のエリアの色を前記設定手段によって設定された色相の範囲に基づいて除去する前の画像データの前記第１の分散と、前記一部のエリアの色を前記設定手段によって設定された色相の範囲に基づいて除去した後の画像データの前記第２の分散との差が予め定められた閾値以上ある場合に、前記一部のエリアの除去すべき色相の範囲を拡張し、
前記拡張手段は、前記一部のエリアの色を前記設定手段によって設定された色相の範囲に基づいて除去する前の画像データの前記第１の分散と、前記一部のエリアの色を前記設定手段によって設定された色相の範囲に基づいて除去した後の画像データの前記第２の分散との差が予め定められた閾値未満である場合に、前記一部のエリアの除去すべき色相の範囲を拡張せずに維持することを特徴とする請求項５に記載の画像処理装置。
【請求項７】
原稿の種類を選択する選択手段をさらに有し、
前記選択手段によって選択された原稿の種類が写真に関する種類である場合に、前記一部のエリアの色を前記設定手段によって設定された色相の範囲に基づいて除去する前の画像データの前記第１の分散と、前記一部のエリアの色を前記設定手段によって設定された色相の分散に基づいて除去した後の画像データの前記第２の分散との差が予め定められた閾値以上であっても、前記一部のエリアの除去すべき色相の範囲を拡張せずに維持することを特徴とする請求項６に記載の画像処理装置。
【請求項８】
前記閾値を変更する変更手段をさらに有することを特徴とする請求項３または６に記載の画像処理装置。
【請求項９】
前記変更手段は、前記閾値を、ユーザから指定された値に変更することを特徴とする請求項８に記載の画像処理装置。
【請求項１０】
前記変更手段は、指定される色ごとに別々の閾値に変更可能であることを特徴とする請求項８または９に記載の画像処理装置。
【請求項１１】
原稿を読み取る読取手段をさらに有し、
前記画像データは、前記読取手段によって前記原稿を読み取って得られた画像データであることを特徴とする請求項１乃至１０のいずれか１項に記載の画像処理装置。
【請求項１２】
前記除去手段によって前記色が除去された画像データに基づいて印刷を実行する印刷手段をさらに有することを特徴とする請求項１乃至１１のいずれか１項に記載の画像処理装置。
【請求項１３】
前記除去手段によって前記色が除去された画像データを送信する送信手段をさらに有することを特徴とする請求項１乃至１２のいずれか１項に記載の画像処理装置。
【請求項１４】
色を指定する指定工程と、
前記指定工程で指定された色に基づいて、除去すべき色の色相の範囲を設定する設定工程と、
画像データの一部のエリアの色を前記設定工程で設定された色相の範囲に基づいて除去する前の画像データの第１の特徴量と、前記画像データの前記一部のエリアの色を前記設定工程で設定された色相の範囲に基づいて除去した後の画像データの第２の特徴量を取得する取得工程と、
前記取得工程で取得された前記第１の特徴量と前記第２の特徴量に基づいて、前記一部のエリアの除去すべき色相の範囲を拡張する拡張工程と、
前記拡張工程で拡張された色相の範囲に基づいて、前記一部のエリアの色を除去する除去工程とを有することを特徴とする画像処理装置の制御方法。
【請求項１５】
請求項１４に記載された画像処理方法を、コンピュータに実行させるためのプログラム。
【請求項１６】
色を指定する指定手段と、
前記指定手段によって指定された色に基づく色相の範囲の色を画像から除去する除去手段とを有し、
前記除去手段は、網点領域以外の領域の画像から、前記指定手段によって指定された色に基づく第１の色相の範囲の色を除去し、前記網点領域の画像から、前記指定手段によって指定された色に基づく第２の色相の範囲の色を除去し、
前記第２の色相範囲は前記第１の色相範囲より広いことを特徴とする画像処理装置。
【請求項１７】
原稿の種別を受け付ける受付手段をさらに有し、
前記受付手段によって受け付けた原稿の種別が第１の種別である場合に、前記除去手段は、前記網点領域と前記網点領域以外の領域から前記第１の色相範囲の色を除去し、
前記受付手段によって受け付けた原稿の種別が前記第１の種別とは異なる第２の種別である場合に、前記除去手段は、前記網点領域から、前記第２の色相範囲の色を除去することを特徴とする請求項１６に記載の画像処理装置。
【請求項１８】
前記第１の種別は印画紙写真であることを特徴とする請求項１７に記載の画像処理装置。
【請求項１９】
前記網点領域を特定する特定手段をさらに有することを特徴とする請求項１６乃至１８のいずれか１項に記載の画像処理装置。
【請求項２０】
前記特定手段は、パターンマッチングによって前記網点領域を特定することを特徴とする請求項１９に記載の画像処理装置。
【請求項２１】
原稿を読み取る読取手段をさらに有し、
前記除去手段は、前記読取手段によって読み取られた前記原稿の画像から前記指定手段によって指定された色に基づく色相の範囲の色を除去することを特徴とする請求項１６乃至２０のいずれか１項に記載の画像処理装置。
【請求項２２】
印刷手段をさらに有し、
前記印刷手段は、前記除去手段によって色が除去された画像を印刷することを特徴とする請求項１６乃至２１のいずれか１項に記載の画像処理装置。
【請求項２３】
通信手段をさらに有し、
前記通信手段は、前記除去手段によって色が除去された画像を送信することを特徴とする請求項１６乃至２２のいずれか１項に記載の画像処理装置。
【請求項２４】
色を指定する指定工程と、
前記指定工程で指定された色に基づく色相の範囲の色を画像から除去する除去工程とを有し、
前記除去工程では、網点領域以外の領域の画像から、前記指定工程で指定された色に基づく第１の色相の範囲の色を除去し、前記網点領域の画像から、前記指定工程で指定された色に基づく第２の色相の範囲の色を除去し、
前記第２の色相範囲は前記第１の色相範囲より広いことを特徴とする画像処理装置の制御方法。
【手続補正２】
【補正対象書類名】明細書
【補正対象項目名】００１０
【補正方法】変更
【補正の内容】
【００１０】
色を指定する指定手段と、
前記指定手段によって指定された色に基づいて、除去すべき色の色相の範囲を設定する設定手段と、
画像データの一部のエリアの色を前記設定手段によって設定された色相の範囲に基づいて除去する前の画像データの第１の特徴量と、前記画像データの前記一部のエリアの色を前記設定手段によって設定された色相の範囲に基づいて除去した後の画像データの第２の特徴量を取得する取得手段と、
前記取得手段によって取得された前記第１の特徴量と前記第２の特徴量に基づいて、前記一部のエリアの除去すべき色相の範囲を拡張する拡張手段と、
前記拡張手段によって拡張された色相の範囲に基づいて、前記一部のエリアの色を除去する除去手段とを有することを特徴とする。